(57)【要約】【課題】夜行性昆虫を効率的に捕虫できる装置及び方法を提案する。【解決手段】排水設備と連なる開口面を含む床面などの載置用基面Ｆの上に載置するための本体２と、この本体２と一体又は別体として形成され、下方からエアを吸い込むように形成された吸引口８を含む吸引部７とを備える。前記吸引部７は、前記開口面をターゲット面として下向きに紫外線を投光することができる光源を吸引口８の近くに配置しており、前記載置用基面の上にセットされた状態で、前記紫外線のターゲット面での紫外線照度が１．００〜５．２６ｍＷ／ｃｍ２である。前記吸引部は、前記載置用基面Ｆ上にセットされた状態で、前記光源と当該載置用基面との間に空間Ｖがあり、この空間が吸引口８と連通しているように形成されている【選択図】図１
2018174735.tif 000002
【特許請求の範囲】
【請求項１】
排水設備と連なる開口面を含む床面などの載置用基面の上に載置するための本体と、
この本体と一体又は別体として形成され、下方からエアを吸い込むように形成された吸引口を含む昆虫吸引部と、
を備え
前記吸引部は、前記開口面をターゲット面として下向きに紫外線を投光することができる光源を吸引口の近くに配置しており、前記載置用基面の上にセットされた状態で、前記紫外線のターゲット面での紫外線照度が１．００〜５．２６ｍＷ／ｃｍ２であることを特徴とする、夜行性昆虫の捕虫装置。
【請求項２】
前記吸引部は、前記載置用基面上にセットされた状態で、前記光源と当該載置用基面との間に空間があり、この空間が吸引口と連通しているように形成されていることを特徴とする、請求項１記載の夜行性昆虫の捕虫装置。
【請求項３】
前記光源は、前記吸引部の下面に配置されたことを特徴とする、請求項１又は請求項２記載の夜行性昆虫の捕虫装置。
【請求項４】
前記吸引部が接続チューブを介して本体に接続されたことを特徴とする、請求項１から請求項３の何れかに記載の夜行性昆虫の捕虫装置。
【請求項５】
前記本体を、車輪などの移動手段を付した可搬式本体としたことを特徴とする、請求項１から請求項４の何れかに記載の夜行性昆虫の捕虫装置。
【請求項６】
施設の排水設備の一部であるターゲット面に紫外線を照射する工程と、
この紫外線照射状態でターゲット面の付近に配置された吸引口からエアを吸引する工程からなる夜行性昆虫の捕虫方法であって、
前記紫外線のターゲット面での紫外線照度が１．００〜５．２６ｍＷ／ｃｍ２であることを特徴とする、夜行性昆虫の捕虫方法。
【請求項７】
前記ターゲット面は、前記排水設備から外部空間へ臨む開口面であることを特徴とする、請求項６記載の夜行性昆虫の捕虫方法。
【発明の詳細な説明】
【技術分野】
【０００１】
本発明は、夜行性昆虫捕虫装置及び夜行性昆虫捕虫方法に関する。
【背景技術】
【０００２】
近年、食品・医薬品の製造現場では、チョウバエなどの夜行性昆虫が急速に増加する傾向がある。こうした夜行性昆虫は、異物混入の原因として警戒されている。
従来の虫害対策としては、殺虫剤と捕虫装置とが存在していた。
殺虫剤としては、ピレスロイド系・有機リン系などのタイプのものは人間への影響が懸念されており、またIGR(昆虫成長制御剤)は人や魚などの脊椎動物には影響しないが、それでも一定レベルの環境的影響を免れない。
捕虫器としては、吸引式と粘着式がある。
前者のタイプとしては、ファンモーターを備えた本体と、本体よりダクトを介して連通する吸引フードと、本体から起立する高さの調節可能な支持具とを有し、この支持具の上部に吸引フードを取り付けるとともに、この取り付け箇所に近傍に誘引灯を設置したものが知られている（特許文献１）。
後者のタイプとしては、脚台の上に設置されたケースの内部に、粘着紙を巻きつけた粘着ロールを支承し、この粘着紙の先端をケースの前面に設けたスリットから外側へ引き出すとともに、その前面の一部に紫外線ランプを取り付けたものが知られている（特許文献２）。
【先行技術文献】
【特許文献】
【０００３】
【特許文献１】特開２００８−５４５６４
【特許文献２】特開平５−１６８３８６
【発明の概要】
【発明が解決しようとする課題】
【０００４】
特許文献１や特許文献２の捕虫装置は、一般的な捕虫装置であり、光を利用して虫を誘引するときには、光が遠方まで到達するように、設置面（床面など）からある程度離して光源を置くことが通常である。しかしながら、前述のチョウバエは、関連する製造・物流設備の排水枡や側溝など有機物を含む水が停滞しやすい箇所から発生するため、そうした側溝などから離れた場所に誘引灯を配置しても、捕虫効率が良くない。
またチョウバエは、夜行性であるため、明るいと行動しない、或いは行動しにくい。通常、ヒトでは可視光域に感受のピークがあるため、「明るい」とは可視光が強いことを指すが、チョウバエなどの昆虫は感受のピークが紫外光域にあるため、この場合の「明るい」は、紫外光が強い、すなわち紫外線照度が高いことを指す。 特特許文献２には捕虫対象の一部としてチョウバエ類が掲げられているが（段落００１９）、イエバエ類などの昼行性のものの中に紛れてチョウバエ類が挙げられているに過ぎない。
昼行性のハエ類を誘引する場合と同じように紫外線を強く照射すると、チョウバエ類は、自らの活動時間帯ではない昼間であると判断し、空中に飛び立たずに側溝の側面などに留まって活動を停止してしまうことが想定され、これでは誘引効果が発揮されない。
このように既存の防虫技術は、空中を飛び回るハエ類の捕虫を主目的としているために、夜行性である害虫、床面以下の低い位置から発生する排水系由来の害虫を効率的に捕虫することができない。
【０００５】
本発明の第１の目的は、夜行性昆虫を効率的に捕虫できる装置及び方法を提案することである。
本発明の第２の目的は、排水設備などの低い位置にある箇所から発生する昆虫を効率的に捕虫できる装置及び方法を提案することである。
【課題を解決するための手段】
【０００６】
本願発明は、チョウバエなどの夜行性昆虫を誘引するためにターゲット面での紫外線照度を１．００〜５．２６ｍＷ／ｃｍ２とすることを発明特定事項の一つとしている。チョウバエなどの夜行性昆虫は、排水設備に起因して発生するが、これを捕虫するためのより良い工夫は装置又は方法の構成として後述する。
特許出願人は、夜行性昆虫を紫外線で誘引し、捕虫するためには、紫外線照度に好ましい一定の範囲が存在することに気づき、これを実験的に確認した（図７参照）。
その理由については、紫外線照度がこの数値範囲の上限を超えると、夜行性昆虫は活動が鈍り、休止面（排水設備の側溝などの内面）から飛び立たなくなってしまう。他方、紫外線照度が前記数値範囲の下限未満となると、飛び立った夜行性昆虫に対して誘引効果が十分に発揮されないからである、と特許出願人は解釈している。
【０００７】
第１の手段は、夜行性昆虫の捕虫装置であり、
排水設備と連なる開口面を含む床面などの載置用基面の上に載置するための本体と、
この本体と一体又は別体として形成され、下方からエアを吸い込むように形成された吸引口を含む昆虫吸引部と、
を備え
前記吸引部は、前記開口面をターゲット面として下向きに紫外線を投光することができる光源を吸引口の近くに配置しており、前記載置用基面の上にセットされた状態で、前記紫外線のターゲット面での紫外線照度が１．００〜５．２６ｍＷ／ｃｍ２である。
【０００８】
本手段では、チョウバエなどの夜行性昆虫を誘引するためにターゲット面での紫外線照度が１．００〜５．２６ｍＷ／ｃｍ２とする捕虫装置を提案している。この装置は、床置きのタイプのものすることが望ましく、工場などの排水設備などの近くにおいて使用する。吸引口８及び光源１０を含む吸引部７は、図１に示すように捕虫装置の一部として一体的に設けてもよく、図５に示す如く本体２と別体に設けてもよい。
例えば紫外線ランプを作業員が手に持ってターゲット面に照射する場合には、当該紫外線ランプの高さによってターゲット面での紫外線照度が異なることになり、その高さを決めるのが面倒である。本手段では捕虫装置を載置用基面Ｆに載置するだけで、ターゲット面Ｔ１での紫外線照度が前記数値範囲内になるように設計されており、使い勝手がよい。
本手段ではターゲット面Ｔ１を便宜的に載置用基面の上にとっているが、後述の捕虫方法ではこうした限定はない。
【０００９】
第２の手段は、第１の手段を有し、かつ
前記吸引部は、前記載置用基面上にセットされた状態で、前記光源と当該載置用基面との間に空間があり、この空間が吸引口と連通しているように形成されている。
【００１０】
本手段では、吸引部７が前記載置用基面Ｆ上にセットされた状態で、前記光源１０と当該載置用基面Ｆとの間に空間Ｖがあり、この空間が吸引口８と連通しているようにしている。夜行性昆虫のうち例えばチョウバエを含むハエ類は、移動手段として空中を飛ぶ他に、物の表面を這うことができる。物の表面を這っている昆虫は、空中を飛翔しているように、空気とともに吸い込むことが難しい。従って、載置用基面の開口面と光源１０との間に距離がないと開口面に嵌め付けられた格子蓋Ｈの表面を這って光源１０の回りに群がってしまう可能性がある。そうなると、光源１０の回りに群がる昆虫により、紫外線が遮られ、側溝などの内部に未だ残っている昆虫を誘引することの障害となる。本手段では、こうした不都合を回避することができる。
【００１１】
第３の手段は、第１の手段又は第２の手段を有し、かつ前記光源は、前記吸引部の下面に配置されている。
【００１２】
本手段では、図１に示す如く、光源１０が吸引部７の下面に配置されている。チョウバエなどの排水設備から発生するものであり、こうした排水設備は、一般に床面より下に、床面の端に設けられた側溝の内部に形成される。従って吸引部７の下面に光源１０を配置するのが合理的である。
【００１３】
第４の手段は、第１の手段から第３の手段のいずれかを有し、かつ
前記吸引部が接続チューブを介して本体に接続された。
【００１４】
本手段では、図５に示すように、捕虫装置１の本体２とは別個に本体２と接続チューブＤでつながった吸引部７を設けている。これにより、本体２を乗り入れることができない狭い箇所に吸引部７を差し込んで夜行性昆虫を捕虫することができる。
【００１５】
第５の手段は、第１の手段から第４の手段のいずれかを有し、かつ
前記本体を、車輪などの移動手段を付した可搬式本体とした。
【００１６】
本手段では、図１に示す如く、本体２の下面に車輪６などの移動手段を設けることを提案している。排水設備のうちで特に夜行性昆虫が多く発生している箇所に速やかに移動し、これら昆虫を捕虫できるようにするためである。移動手段は、キャスターなどの車輪が好ましいが、移動できればどのような構造でも構わない。
【００１７】
第６の手段は、夜行性昆虫の捕虫方法であり、
施設の排水設備の一部であるターゲット面に紫外線を照射する工程と、
この紫外線照射状態でターゲット面の付近に配置された吸引口からエアを吸引する工程からなる夜行性昆虫の捕虫方法であって、
前記紫外線のターゲット面での紫外線照度が１．００〜５．２６ｍＷ／ｃｍ２である。
【００１８】
本手段は、ターゲット面に紫外線を照射し、この紫外線照射状態で吸引口からエアとともに夜行性昆虫を吸引する捕虫方法を提案している。
ここで「排水設備」とは、例えば排水枡や側溝などをいう。
「ターゲット面」とは、紫外線を照射する狙いの面である。排水設備の一部であればどこをターゲット面に選んでも良いが、好適な一例として、夜行性昆虫が最も密集している箇所をターゲット面に選ぶことができる。側溝などの真上に配置した光源から紫外線を照射する場合には、側溝の底面或いは側溝の開口部の格子蓋の表面をターゲット面に選ぶこともできる。
【００１９】
第７の手段は、第６の手段を有し、かつ
前記ターゲット面は、前記排水設備から外部空間へ臨む開口面である
【００２０】
本手段では、紫外線照度を所定の数値範囲とするターゲット面を、排水設備、例えば側溝の開口面とすることを提案している。例えば側溝の開口部に格子蓋Ｈが嵌められているような場合、側溝の内部のどこかをターゲット面として選ぶと、当該ターゲット面よりも開口面では紫外線照度が大きいことになる。側溝内部から飛翔して、或いは側溝内面を這って格子蓋Ｈに辿り着いた昆虫が格子蓋に取り付くと、そこで数値範囲の上限を超える紫外線を浴びて活動を停止してしまう可能性がある。それでは十分に夜行性昆虫の誘引効果が発揮できないために、開口面をターゲット面Ｔ１としているのである。
【発明の効果】
【００２１】
第１の手段又は第６の手段に係る発明によれば、紫外線照度が１．００〜５．２６ｍＷ／ｃｍ２である弱光条件で紫外線を照射するので、夜光性昆虫を適切に捉えることができる。
第２の手段に係る発明によれば、開口面から光源へ飛翔する昆虫を吸引口へ吸引できるから、捕虫効率が高い。
第３の手段に係る発明によれば、光源が前記吸引部の下面に配置されたから、開口面の至近位置から効果的に紫外線を照射し、昆虫を吸引することができる。
第４の手段に係る発明によれば、本体と接続チューブを介して接続された吸引具の吸引口を設置できるから、設備と床との間などの低くかつ狭小な場所からも吸引できる。
第５の手段に係る発明によれば、本体を可搬式本体としたから、間欠的に発生する昆虫の出現場所に対応して捕虫位置を移動できる。
第６の手段に係る発明によれば、紫外線照度が１．００〜５．２６ｍＷ／ｃｍ２である弱光条件で紫外線を照射するので、夜光性昆虫を適切に捉えることができる。
第７の手段に係る発明によれば、排水設備から外部空間へ臨む開口面をターゲット面としているから、開口面付近での紫外線照度が強すぎることがなく、昆虫が開口面付近で留まってしまう不都合を回避できる。
【図面の簡単な説明】
【００２２】
【図１】本発明の第１実施形態に係る捕虫装置の断面図である。
【図２】図１の装置のエア吸引の作用を示す説明図である。
【図３】図１の装置を用いて側溝に紫外線を照射している状態の概念図である。
【図４】図１の装置で紫外線を照射している状態の作用の説明図である。
【図５】本発明の第２実施形態に係る捕虫装置の断面図である。
【図６】図５の装置の要部の拡大図である。
【図７】本発明の第１実施形態の試作物を使用した捕虫実験における紫外線照度と捕虫率の関係を示す図である。
【発明を実施するための最良の形態】
【００２３】
図１から図４は、本発明の第１の実施形態に係る夜行性昆虫捕虫装置を示している。
この捕虫装置１は、捕虫手段Ｃ及び吸気手段Ｓを内蔵する本体２と、本体の下面に付設された車輪６とを具備し、また本実施形態において、前記本体２の一部である吸引部７を有する。
【００２４】
前記本体２は、底板２ａと連続する前板２ｂ及び後板２ｃと左右一対の側板２ｄと天板２ｅとを含むケーシングとして形成している。このケーシング内には、後板２ｃ寄りに底板２ａ及び天板２ｅに連続する垂直な第１仕切り板４ａと、第１仕切り板４ａの前側で底板２ａから天板２ｅ側へ垂直に延びる第２仕切り板４ｂと、第２仕切り板４ｂの上端と第１仕切り板４ａとの間に架設された水平な第３仕切り板４ｃとを有している。
前記底板２ａの前部と第２仕切り板４ｂの上端との間には傾斜板４ｄが掛け渡されている。
傾斜板４ｄ及び第３仕切り板４ｃと天板２ｅとの間には、連通路Ｐが、第１仕切り板４ａと第２仕切り板４ｂとの間には捕虫手段Ｃを内蔵する捕虫室Ｒ１が、第１仕切り板４ａと後板２ｃとの間には吸気手段Ｓを内蔵する補助室Ｒ２がそれぞれ形成されている。また第３仕切り板４ｃには、連通路Ｐと捕虫室Ｒ１とを連通する第１連通口１２が、第１仕切り板４ａには、捕虫室Ｒ１と補助室Ｒ２とを連通する第２連通口１８がそれぞれ開口されている。後板２ｃには、多数の排気孔を開口してなる排気パネル２２が形成されている。
前記第１連通口１２からは連通筒１４が垂下されている。そして、有底筒状で筒壁の上端から内向きフランジを突設してなる捕虫ネット１６を設け、そのフランジ孔に前記連通筒１４を嵌挿させて捕虫手段Ｃを構成している。
本体２の適所には図示しない取り出し口を設け、捕虫ネット１６を取り外して、捉えられた夜行性昆虫を廃棄できるように設ける。
また前記第２連通口１８には吸気手段Ｓである吸気ファン２０が取り付けられている。
【００２５】
前記車輪６は、本体２の底板２ａの下面の複数箇所に設けられている。図示の車輪６はキャスターに形成している。車輪に代えて、車輪以外の移動手段を採用してもよい。また図示例では、前記車輪６は、後述の吸引口８よりも底板２ａの後端ｅ２寄りにある。
前記車輪６は、本体２の脚部を兼ねており、当該脚部を床面などの載置用基面Ｆの上に載せることにより、当該載置用基面と後述の光源との間に距離をとるようにしている。もっとも車輪に代えて脚部を設けてもよい。
【００２６】
吸引部７は、光源１０及び吸引口８を有する箇所であり、本実施形態においては、前記本体２の一部として形成されている。
すなわち、前記底板２ａの前端部ｅ１に細長い光源１０が形成され、かつこの光源１０に沿ってスリット状の吸引口８が開口されている。
前記光源１０は、複数の点光源（ＬＥＤ、蛍光灯、有機ＥＬなど）が一列に配列されてなる。害虫を誘引するための波長３５０〜４００ｎｍ程度の紫外線を放射する光源を用いるとよい。本体２が載置用基面Ｆの上に載置されている状態において、載置用基面Ｆと光源１０との間には空間Ｖが存在し、この空間は吸引口８に連通している。
吸引口８は、底板２ａの前部に細長いスリットとして形成されている。
これら光源１０及び吸引口８は、本体２の幅方向全体に亘って形成されているが、その形状は適宜変更することができる。
本実施形態の装置では、光源からの紫外線の出力が固定されたタイプである。その出力はターゲット面での紫外線照度が好適値（例えば２．００ｍＷ／ｃｍ２）となることが好適である。これらの構成は適宜変更することができる。
【００２７】
本発明の捕虫方法は、次の手順により行う
（１）施設の一部であるターゲット面に対して、紫外線を照射する工程
ターゲット面での紫外線照度は、１．００〜５．２６ｍＷ／ｃｍ２、より好ましくは、２．００ｍＷ／ｃｍ２とするとよい。
（２）紫外線を照射している状態で、ターゲット面の付近に配置された吸引口８からエアとともに夜行性昆虫を吸引し、捕虫する工程
【００２８】
前記捕虫方法の実施に本実施形態の捕虫装置を使用するときには、次の手順により行う。
（イ）設備の床面などである載置用基面Ｆの上で車輪６付きの捕虫装置１を移動させて、図３に示すように、側溝Ｇの真上に本体２の光源１０が位置するように水平方向の位置決めを行う。
（ロ）次に吸気ファン２０を作動させるとともに光源１０を点灯して、側溝Ｇの開口面に対して紫外線を照射する。
これにより、ターゲット面Ｔ１である前記開口面上で数値範囲内の所要の紫外線照度が実現する。載置用基面Ｆに対する光源１０の高さは予め決まっているので、前述の如くターゲット面の真上に光源１０があるようにするだけで、所定の紫外線照度が得られる。
（ハ）紫外線の照射により、側溝Ｇ内部にいるチョウバエなどの夜行性昆虫ｂは、空中を飛翔し、或いは側溝Ｇを這って側溝Ｇの開口面へ到達し、さらに該開口面から光源１０側へ向かう。ターゲット面Ｔ１と光源１０との間には空間Ｖがあるため、少なくともこの区間では夜行性昆虫は空中を飛翔しなければならない。空間Ｖは吸引口８に連通しているため、飛翔中の夜行性昆虫は、吸気手段Ｓによる吸引力に抵抗できず、確実に吸引口８に吸い込まれる。
（ニ）吸い込まれたチョウバエは、連通路Ｐを介して捕虫ネット１６に捕虫される。外気はさらに吸気ファン２０により補助室Ｒ２へ吸入され、そして排気パネル２２から排気される。
【００２９】
前述の例では、側溝Ｇの開口部をターゲット面としているが、側溝・排水枡の任意の深さにある面をターゲット面とし、そこで前述の紫外線照度が実現されるようにしてもよい。そのためには、前述の出力を調整可能な方式の捕虫装置を用いればよい。
【００３０】
以下、本発明の他の実施形態を説明する。これらの説明において、第１実施形態と同じ構成に関しては、解説を省略する。
【００３１】
図５から図６は、本発明の第２実施形態に係る捕虫装置を示している。本実施形態では、前記吸引部７を、捕虫手段Ｃ及び吸気手段Ｓを内蔵する本体２と別体として設けたものである。
すなわち、吸引部７と本体２とは、図５に示すように接続チューブＤを介して接続されており、吸引部７だけを狭い場所に挿入して夜行性昆虫を捕虫することができるようにしている。
【００３２】
接続チューブＤは、内層にアルミニウムなどの可塑性の高い金属を用いた形状保形チューブとすることができる。
図示の吸引部７は、図６に示すように周壁の上下両端に頂壁及び底壁を設けた筐体７ａを有し、その筐体の頂壁に開口した接続口７ｂを介して接続チューブＤに連通させている。また底壁の中央部に開孔７ｃを形成するとともに、その底壁の外周部にスペーサ７ｅを介して支持板７ｄの基部を重ねて固定具７ｆで固定している。支持板７ｄの先部は、開孔７ｃ側へ突出させて、先部の下面に光源１０を付設する。光源１０と載置用基面Ｆとの間には、空間Ｖが設けられており、この空間は、開孔７ｃの残りの部分で形成する吸引口８に連通している。もっともこれらの構成は適宜変更することができる。
なお、筐体７ａの底壁下面には磁石（図示せず）を貼付しておき、設置箇所近くの金属面に貼付できるようにしておくこともできる。これにより設置状態を保持できる。
【００３３】
図７は、本願発明の基礎となる実験のデータを示すものである。すなわち、ターゲット面での紫外線照度を変化させて、各チョウバエの捕虫率を実験したものである。
実験の条件としては、光源から４０ｍｍ離れた場所での紫外線照度を変化させてチョウバエの捕虫率を観測した。使用した光源は紫外線ＬＥＤであって紫外線のピーク波長は３６５ｎｍ、使用した昆虫の種類はオオチョウバエであり、１回に使用した昆虫の数は９〜４２匹、グラフに表れる各点は、同じ条件で４回繰り返した実験の平均値である。
同図中、点ｎは紫外線が全く照射されていない状態であり、そして点ａから点ｇへ向かうに従って紫外線照度を徐々に強くしている。
観測点ｇでのチョウバエの捕虫率（１７．５％）は、観測点ｎのチョウバエの捕虫率（１９．７％）よりも低くなっている。これは夜行性昆虫では周囲が明るすぎると却って活動が鈍るという前述の所見が可視光の代わりに紫外線を照射した環境でも成立することを裏付けている。
このようにチョウバエが紫外光の波長領域において強光環境の下で弱光環境下に比較して活動が鈍るという知見は、特許出願人が知る限り、先行技術には見当たらない。
点ａから点ｆでの各点の捕虫率は、それぞれ２３．３％、３０．３％、７３．３％、４５．６％、２５．８％、２３．０％であり、点ｎでの捕虫率より高い。
そして捕虫率は、点ｃで著しいピークを示し、点ｃから点ｇへ向かってなだらかに減少していく様子が認識される。点ｃでの紫外線照度は２．０ｍＷ／ｃｍ２である。
この実験的知見より、ターゲット面での紫外線照度は、１．００〜５．２６ｍＷ／ｃｍ２、より好ましくは、２．００ｍＷ／ｃｍ２とするとよい、とする前述の数値限定が裏付けられる。
本実施形態の捕虫装置は、前述の強光環境での行動の抑制を引き起こすほど高くなく、かつ誘引源として成立しないほど低くもない、チョウバエ類の捕虫に最適な紫外線照度の光源に持つ捕虫機である。
【００３４】
［実施例］
第１実施形態の装置では、紫外線の出力が固定された方式としているが、これに代えて、前記光源の紫外線照度を調節する制御手段（図示せず）を設け、出力を調整できる方式としてもよい。一定範囲で、例えば５．２６ｍＷ／ｃｍ２以上にはならないという制限の下で調整できるようにしてもよい。
またこうした捕虫モードとは別に、ターゲット面での紫外線照射モードが５．２６ｍＷ／ｃｍ２以上となる夜行性昆虫発生抑制モードを選択できるように制御手段を設けてもよい。
【符号の説明】
【００３５】
１…捕虫装置  ２…本体（ケーシング）  ２ａ…底板  ２ｂ…前板  ２c…後板
２ｄ…側板  ２ｅ…天板
４ａ…第１仕切り板  ４ｂ…第２仕切り板  ４ｃ…第３仕切り板  ４ｄ…傾斜板
６…車輪（脚部）
７…吸引部  ７ａ…筐体  ７ｂ…接続口  ７ｃ…開孔  ７ｄ…支持板
７ｅ…スペーサ  ７ｆ…固定具
８…吸引口  １０…光源（誘引灯）  １２…第１連通口
１４…連通筒  １６…捕虫ネット  １８…第２連通口  ２０…吸引ファン
２２…排気パネル
Ｂ…昆虫  Ｃ…捕虫手段  Ｄ…接続チューブ
ｅ１…底板の前端  ｅ２…底板の後端
Ｆ…載置用基面  Ｇ…側溝  Ｈ…蓋  Ｐ…連通路  Ｒ１…捕虫室  Ｒ２…補助室
Ｓ…吸気手段  Ｔ１、Ｔ２…ターゲット面
【図１】
2018174735.tif 000003
【図２】
2018174735.tif 000004
【図３】
2018174735.tif 000005
【図４】
2018174735.tif 000006
【図５】
2018174735.tif 000007
【図６】
2018174735.tif 000008
【図７】
2018174735.tif 000009